(57)【特許請求の範囲】
【請求項１】
１枚の光空間変調素子と白色光源とからなるカラー画像表示装置において、
前記光空間変調素子は、時分割して周期的に異なる画面を表示可能なものからなり、前記画面各々は３つ以上の複数領域に分割され、各領域に異なる色分解像の対応する領域部分像が表示され、１周期内においてそれぞれの画面には他の画面と異なる分割パターンで異なる色分解像の部分像が並列して表示され、
前記光空間変調素子の各画面の色分解像配列パターンに対応する色配列パターンになるように、前記白色光源からの光を並列に色分離し配列して照射する照明光色分離配列照射手段を備えており、
前記照明光色分離配列照射手段は、前記白色光源からの光の異なる色成分を分離して、前記画面の転換に同期して異なる色配列パターンに変えて照射する色照射パターン可変手段を備えており、
前記色照射パターン可変手段が、前記白色光源からの光を色分離する複数の体積ホログラムの積層体あるいは多重記録体からなり、前記画面の転換に同期してその体積ホログラムの積層体あるいは多重記録体を交換するように構成されていることを特徴とするカラー画像表示装置。
【請求項２】
前記複数の体積ホログラムの積層体あるいは多重記録体が、回転板の周囲の円周方向に等間隔に設けられたホログラム領域からなり、前記回転板の回転角に応じて前記複数の体積ホログラムの積層体あるいは多重記録体が交換されるように構成されていることを特徴とする請求項１記載のカラー画像表示装置。
【請求項３】
前記光空間変調素子は、何れかの辺方向に短冊状に領域分割がされていることを特徴とする請求項１又は２記載のカラー画像表示装置。
【発明の詳細な説明】
【０００１】
【発明の属する技術分野】
本発明は、カラー画像表示装置に関し、特に、白色光源と１枚の光空間変調素子を用いてＲＧＢの色分解像を順次表示してカラー画像表示可能な表示装置に関するものである。
【０００２】
【従来の技術】
自家発光しないカラー画像表示装置、特に、投影カラー画像表示装置としては、１枚の光空間変調素子を用いるものと、複数枚の光空間変調素子を用いるものがある。また、そのための光空間変調素子としては、液晶表示パネル、ＤＭＤ（デジタルマイクロミラーデバイス）等がある。表示装置としては、光空間変調素子の枚数が少ない方、すなわち、１枚の光空間変調素子を用いるものが、素子に要するコストが抑えられ、また、光学系が単純になるので望ましい。
【０００３】
ところが、カラー画像を表示するためには、各画素から所望の色の光が出るようにするために吸収型カラーフィルターやホログラムカラーフィルターを光空間変調素子に設けるか、１枚の光空間変調素子を照明するのに白色光源からの光をＲ（赤色）、Ｇ（緑色）、Ｂ（青色）３色のカラーフィルターに分割されたカラーホイールを通して順次Ｒ、Ｇ、Ｂの光にして照明するものがある。
【０００４】
図７に、１枚のＤＭＤを用いた投影カラー画像表示装置を示す。白色光源２２からの光をＲ、Ｇ、Ｂ３色のカラーフィルターに分割されたカラーホイール２４を通して順次Ｒ、Ｇ、Ｂの光にして、ＤＭＤ２１の表示面に対して斜め方向から照明し、ＤＭＤ２１の微小ミラーで正面方向に反射された光のみを投影レンズ２７に取り込んでＤＭＤ２１の表示面をスクリーン２８上に拡大投影し、カラーホイール２４の回転と同期して時分割でＤＭＤ２１にＲ、Ｇ、Ｂの色分解像を表示することにより、スクリーン２８上にカラー像を表示するものである。なお、図７中、符号２３は光源２２からの光をカラーホイール２４を通してインテグレータロッド２５の入射面上に集光する集光レンズであり、インテグレータロッド２５の射出面から出た光はコリメートレンズ２６により平行光に変換されてＤＭＤ２１の表示面を照明する。
【０００５】
【発明が解決しようとする課題】
しかしながら、吸収型カラーフィルターを設けた光空間変調素子や、カラーホイールを通して光空間変調素子を照明するものの場合、光の吸収により色を出すため、光利用効率が悪く明るい表示を行うことは容易ではない。
【０００６】
一方、ホログラムカラーフィルターで入射光を分光して光空間変調素子の各画素を照明する場合は、光利用効率を高くすることは可能であるが、光空間変調素子の画素パターンに適合した微細構造が必要であり、また、光空間変調素子とのギャップや面方向の位置合わせが容易ではないという問題がある。
【０００７】
本発明は従来技術のこのような問題点に鑑みてなされたものであり、その目的は、白色光源と１枚の光空間変調素子とを用いて高い光利用効率で明るいカラー画像が表示可能なカラー画像表示装置を提供することである。
【０００８】
【課題を解決するための手段】
上記目的を達成する本発明のカラー画像表示装置は、１枚の光空間変調素子と白色光源とからなるカラー画像表示装置において、
前記光空間変調素子は、時分割して周期的に異なる画面を表示可能なものからなり、前記画面各々は３つ以上の複数領域に分割され、各領域に異なる色分解像の対応する領域部分像が表示され、１周期内においてそれぞれの画面には他の画面と異なる分割パターンで異なる色分解像の部分像が並列して表示され、
前記光空間変調素子の各画面の色分解像配列パターンに対応する色配列パターンになるように、前記白色光源からの光を並列に色分離し配列して照射する照明光色分離配列照射手段を備えていることを特徴とするものである。
【０００９】
この場合、照明光色分離配列照射手段は、白色光源からの光の異なる色成分を分離して、画面の転換に同期して異なる色配列パターンに変えて照射する色照射パターン可変手段を備えていることが望ましい。
【００１０】
その色照射パターン可変手段としては、白色光源からの光を色分離する複数のダイクロミラーの組み合わせからなり、各ダイクロミラーの角度が、画面の転換に同期してそれぞれ変化するように構成されているものがある。
【００１１】
この場合、白色光源から複数のダイクロミラーの組み合わせに至る光路中に開口が設けられ、その開口を光空間変調素子上に投影する投影光学系がその複数のダイクロミラーの組み合わせと光空間変調素子の間の光路中に設けられていることが望ましい。
【００１２】
また、別の色照射パターン可変手段として、白色光源からの光を色分離する複数の体積ホログラムの積層体あるいは多重記録体からなり、画面の転換に同期してその体積ホログラムの積層体あるいは多重記録体を交換するように構成されているものとすることができる。
【００１３】
この場合、複数の体積ホログラムの積層体あるいは多重記録体が、回転板の周囲の円周方向に等間隔に設けられたホログラム領域からなり、回転板の回転角に応じてその複数の体積ホログラムの積層体あるいは多重記録体が交換されるように構成されていることが望ましい。
【００１４】
さらに、もう１つの色照射パターン可変手段として、外部からの信号により体積型ホログラムと透明体との切り換えが可能な体積型ホログラムであって、白色光源からの光を色分離する複数の体積ホログラムの積層体が、転換可能な画面の数に対応した数だけ白色光源からの光の光路中に配置されたものからなり、画面の転換に同期してその積層体中の１つのみ中の体積型ホログラムを体積型ホログラムとするものとすることができる。
【００１５】
なお、光空間変調素子は、例えば何れかの辺方向に短冊状に領域分割がされているものとすることができる。
【００１６】
本発明においては、光空間変調素子は、時分割して周期的に異なる画面を表示可能なものからなり、その画面各々は３つ以上の複数領域に分割され、各領域に異なる色分解像の対応する領域部分像が表示され、１周期内においてそれぞれの画面には他の画面と異なる分割パターンで異なる色分解像の部分像が並列して表示され、光空間変調素子の各画面の色分解像配列パターンに対応する色配列パターンになるように、白色光源からの光を並列に色分離し配列して照射する照明光色分離配列照射手段を備えているので、従来の吸収型カラーフィルターを設けた光空間変調素子やカラーホイールを通して光空間変調素子を照明するものと比べると、光の減衰がなく高い光利用効率で明るいカラー画像が表示可能となる。また、ホログラムカラーフィルターを設けた光空間変調素子と比べると、光空間変調素子の画素パターンに適合した微細構造のものが必要でなく、光空間変調素子とのギャップや面方向の精密な位置合わせが不要となる。
【００１７】
【発明の実施の形態】
以下、本発明のカラー画像表示装置の原理といくつかの実施例について説明する。
【００１８】
図７に例示したような従来の白色光源と１枚の光空間変調素子とを用いたカラー画像表示装置は、表示しようとする１枚のカラー画像をＲ、Ｇ、Ｂの色分解像に分解して、人間の眼の残像期間中に、１枚の光空間変調素子に時分割してあるいは順次そのＲ、Ｇ、Ｂの色分解像を表示し、人間の眼がそのＲ、Ｇ、Ｂの３枚（場合によっては、それに白黒像を追加して４枚）の色分解像を加法混色して１枚のカラー画像として認識できるようにしたものである。
【００１９】
本発明においては、時分割した１つの画面に、従来のようにＲ、Ｇ、Ｂの何れかの色分解像を表示するのではなく、その画面を３つ以上の複数領域に分割し、各領域にＲ、Ｇ、Ｂ（白黒像を追加してもよい）の異なる色分解像の対応する領域部分像を表示させ、次の画面には、前の画面と異なる分割パターンの複数領域に分割し、各領域に同様に異なる色分解像の対応する領域部分像を表示させ、さらにその次の画面に、前々画面、前画面と異なる分割パターンの複数領域に分割し、各領域に同様に異なる色分解像の対応する領域部分像を表示させ、このような時分割画面を３面以上周期的に繰り返させ、周期的な時分割表示の１周期において、表示面の何れの位置においても、Ｒ、Ｇ、Ｂの色分解像が重ねて表示されるようにする。
【００２０】
そして、その場合の、各画面の色分解像分割パターンに対応する色配列パターンになるように、白色光源からの光を色成分に分離して並列に照射することにより、加法混色により明るい１枚のカラー画像として認識可能にするものである。
【００２１】
以下、図面を用いて説明する。
【００２２】
図１に、人間の眼の残像期間、例えば２０分の１秒の間に、１枚の光空間変調素子に周期的に表示される６つの画面▲１▼〜▲６▼の例を示す。この残像期間中に等間隔で▲１▼→▲２▼→▲３▼→▲４▼→▲５▼→▲６▼（→▲１▼→・・・・・）と順次時分割で６つの画面▲１▼〜▲６▼が表示される。これら画面▲１▼〜▲６▼は３つあるいは４つの領域に分割され、各領域には、Ｒ、Ｇ、Ｂの異なる色分解像の対応する領域部分像が表示される。図１の例では、画面▲１▼で画面が縦方向に３分割され、上から順にＲ、Ｇ、Ｂの色分解像の対応する領域部分像が表示され、それらの領域が画面▲１▼から▲６▼にかけて、各画面毎に縦方向の６分の１の距離下方へ下がり再度上方から下方へ下がるように移動するような分割パターンでＲ、Ｇ、Ｂの色分解像の対応する領域部分像が表示される。そして、この順次移動するＲ、Ｇ、Ｂの色分解像領域に対応した色配列パターンに白色光源からの光を色成分に分離して並列に照射することにより、その光空間変調素子の表示面の何れの位置においても、図１の１周期の間にＲ→Ｂ→Ｇと色分解像が重ねて表示されるので、画面▲１▼〜▲６▼の画像が加法混色により明るい１枚のカラー画像として認識されることになる。
【００２３】
なお、図１の場合は、１周期に▲１▼〜▲６▼の６つの異なる分割パターンの画面を順に表示する例であったが、この画面の数は３つ以上であれば他の数であってもよい。例えば、図１の画面▲１▼、▲３▼、▲５▼の３つにしてそれを上記のように周期的に表示するようにしてもよい。ただし、この画面の組み合わせの場合は、３分割パターンの境界が目立つ可能性がある。
【００２４】
次に、このような画面の色分解像分割パターンに対応する色配列パターンになるように白色光源からの光の色成分を分離して配列する光学的構成について説明する。
【００２５】
図２は、本発明による投影カラー画像表示装置の１実施例の構成を示す概念図であり、例えば透過型の液晶表示パネルのような光空間変調素子１とその照明側に配置された回転ホログラム板２と、その回転ホログラム板２に光学系７で集光させて所定の入射角で白色光ビーム６を照射するための光源５と、光空間変調素子１に表示された画像をスクリーン１１上に投影する投影光学系１０とからなる。
【００２６】
回転ホログラム板２は、白色光ビーム６中のＲ成分を回折する体積型ホログラム２Ｒと、Ｇ成分を回折する体積型ホログラム２Ｇと、Ｂ成分を回折する体積型ホログラム２Ｂとが多重記録あるいは積層されてなるもので、図３に正面図を示すように、回転中心軸４の周囲の円周方向に等間隔にそれぞれの体積型ホログラム２Ｒ、２Ｇ、２Ｂに微小ホログラム３▲１▼、３▲２▼、３▲３▼、３▲４▼、３▲５▼、３▲６▼が周期的に記録されてなるものである。
【００２７】
この回転ホログラム板２が回転中心軸４の周りで回転して、その微小ホログラム３▲１▼の領域に光源５からの白色光ビーム６が入射すると、図４（ａ）に示すように、体積型ホログラム２Ｒからは、光空間変調素子１の図１の画面▲１▼のＲの色分解像領域にＲの回折光８Ｒが入射するように回折され、体積型ホログラム２Ｇからは、光空間変調素子１の図１の画面▲１▼のＧの色分解像領域にＧの回折光８Ｇが入射するように回折され、体積型ホログラム２Ｂからは、光空間変調素子１の図１の画面▲１▼のＢの色分解像領域にＢの回折光８Ｂが入射するように回折される。したがって、回転ホログラム板２に入射する白色光ビーム６の全ての色成分が光空間変調素子１の全面の照明に利用され、無駄がない。
【００２８】
次に、回転ホログラム板２がさらに回転して微小ホログラム３▲２▼の領域に光源５からの白色光ビーム６が入射するようになると、図４（ｂ）に示すように、体積型ホログラム２Ｒからは、光空間変調素子１の図１の画面▲２▼のＲの色分解像領域にＲの回折光８Ｒが入射するように回折され、体積型ホログラム２Ｇからは、光空間変調素子１の図１の画面▲２▼のＧの色分解像領域にＧの回折光８Ｇが入射するように回折され、体積型ホログラム２Ｂからは、光空間変調素子１の図１の画面▲２▼のＢの色分解像領域にＢの回折光８Ｂが入射するように回折される。
【００２９】
同様に、回転ホログラム板２がさらに回転して微小ホログラム３▲３▼、３▲４▼、３▲５▼、３▲６▼の領域に順に光源５からの白色光ビーム６が入射するようになると、対応した光空間変調素子１の図１の画面▲３▼、▲４▼、▲５▼、▲６▼のそれぞれの色分解像領域Ｒ、Ｇ、ＢにＲ、Ｇ、Ｂの回折光８Ｒ、８Ｇ、８Ｂが入射するように回折される。
【００３０】
したがって、回転ホログラム板２の回転角と同期して光空間変調素子１に表示する色分解像分割パターンを周期的に変えることにより、明るく高い光利用効率のカラー画像をスクリーン１１上に投影表示することができる。
【００３１】
ホログラムの機能としては、少なくとも波長選択機能が必要であるが、光空間変調素子１上に色分解像分割パターンを結像するような結像機能を持たせることが、色分離を完全に行うために望ましい。
【００３２】
図２の実施例の場合は、光空間変調素子１に表示された色分解像分割パターンに対応する色配列パターンを選択的可変的に照射するのに３枚の体積型ホログラム２Ｒ、２Ｇ、２Ｂの組からなる回転ホログラム板２を用いたが、その代わりにダイクロイックミラーを用いることもできる。その例を図５に示す。この場合は、例えば図１の画面▲１▼、▲３▼、▲５▼の３つを光空間変調素子１上に周期的に表示する場合に適用できる。
【００３３】
図５において、可変ダイクロイックミラー装置１２は、光源５からの白色光ビーム６中のＲ成分のみを反射するＲ反射ダイクロイックミラー１２Ｒと、Ｇ成分のみを反射するＧ反射ダイクロイックミラー１２Ｇと、Ｂ成分のみを反射するＢ反射ダイクロイックミラー１２Ｂとからなる。この中、図５の配置では、Ｂ反射ダイクロイックミラー１２Ｂは通常の白色反射ミラーであってもよい。これらのダイクロイックミラー１２Ｒ、１２Ｂ、１２Ｇそれぞれに、紙面に垂直な軸の周りで角度を変化させる機構が設けられている。そして、光源５からの白色光ビーム６の光路中には、開口１４が配置されており、また、各ダイクロイックミラー１２Ｒ、１２Ｇ、１２Ｂからの反射光１８Ｒ、１２Ｇ、１２Ｂは投影レンズ１３により光空間変調素子１に向けられ、それぞれの反射光１８Ｒ、１２Ｇ、１２Ｂにより開口１４のＲ、Ｇ、Ｂの像が光空間変調素子１の面上に投影されるようになっている。
【００３４】
したがって、光空間変調素子１に表示された色分解像分割パターンに対応して各ダイクロイックミラー１２Ｒ、１２Ｇ、１２Ｂの角度を画面の転換に同期して変えることにより、光空間変調素子１に表示された画面のＲの色分解像領域にＲの反射光１８Ｒが入射して開口１４のＲの像を結像し、画面のＧの色分解像領域にＧの反射光１８Ｇが入射して開口１４のＧの像を結像し、画面のＢの色分解像領域にＢの反射光１８Ｂが入射して開口１４のＢの像を結像するようにすることができる。このようにして、光空間変調素子１に表示する色分解像分割パターンに同期して可変ダイクロイックミラー装置１２の各ダイクロイックミラー１２Ｒ、１２Ｇ、１２Ｂの角度を変えることにより、明るく高い光利用効率のカラー画像をスクリーン１１上に投影表示することができる。
【００３５】
次に、図６の実施例は、図２の３枚の体積型ホログラムの組み合わせによりそれぞれの色成分の回折光を色分解像分割パターンの対応する色の色分解像領域に向ける実施例の変形であり、体積型ホログラムとして電圧の不印加、印加により体積型ホログラムとして機能したり単純な透明体になる外部からの信号により切り換え制御可能な体積型ホログラムを用いた例である。このような体積型ホログラムと透明体との切り換え制御可能な体積型ホログラムは、ＩＤＷ’００，ｐｐ．１０６５〜１０６８に"Electrically Switchable Bragg Grating Technolgy for Projection Displays" として紹介されている。
【００３６】
図６の実施例においては、例えば図１の画面▲１▼、▲３▼、▲５▼の３つを光空間変調素子１上に周期的に表示する場合の例であるが、画面の数に対応した３つの３層アクティブホログラム体１５▲１▼、１５▲３▼、１５▲５▼が密接してあるいは若干間隔をおいて重ね合わされてなる切り換え制御可能ホログラム装置１５が、光源５からの白色光ビーム６が入射する光路（図２）中に配置されており、その切り換え制御可能ホログラム装置１５からの回折光８Ｒ、８Ｇ、８Ｂが入射する位置に光空間変調素子１が配置されている。
【００３７】
各３層アクティブホログラム体１５▲１▼、１５▲３▼、１５▲５▼は、それぞれ体積型ホログラムと透明体との切り換え制御可能な体積型ホログラムであって、白色光ビーム６中のＲ成分を回折する体積型ホログラム１５Ｒと、Ｇ成分を回折する体積型ホログラム１５Ｇと、Ｂ成分を回折する体積型ホログラム１５とが積層されてなるもので、各３層アクティブホログラム体１５▲１▼、１５▲３▼、１５▲５▼においては、外部からの信号により同時に体積型ホログラムとなったり透明体となる。そして、３層アクティブホログラム体１５▲１▼は、体積型ホログラムになるように制御されたときには、画面▲１▼の色分解像分割パターンの対応する色配列パターンでＲ、Ｇ、Ｂの回折光８Ｒ、８Ｇ、８Ｂを光空間変調素子１に向けるように構成されており、同様に、３層アクティブホログラム体１５▲３▼は、体積型ホログラムになるように制御されたときには、画面▲３▼の色分解像分割パターンの対応する色配列パターンでＲ、Ｇ、Ｂの回折光８Ｒ、８Ｇ、８Ｂを光空間変調素子１に向けるように、３層アクティブホログラム体１５▲５▼は、体積型ホログラムになるように制御されたときには、画面▲５▼の色分解像分割パターンの対応する色配列パターンでＲ、Ｇ、Ｂの回折光８Ｒ、８Ｇ、８Ｂを光空間変調素子１に向けるように、それぞれ構成されている。
【００３８】
したがって、光空間変調素子１に表示された色分解像分割パターンに対応して各３層アクティブホログラム体１５▲１▼、１５▲３▼、１５▲５▼の何れか１つのみを選択して対応する特性の体積型ホログラムになるように同期制御することにより、明るく高い光利用効率のカラー画像をスクリーン１１上に投影表示することができる。
【００３９】
これら３層アクティブホログラム体１５▲１▼、１５▲３▼、１５▲５▼に記録されるホログラムの機能は、波長分離機能だけではなく、結像機能を有することが望ましい。
【００４０】
以上、本発明のカラー画像表示装置をその原理と実施例に基づいて説明してきたが、本発明はこれら実施例に限定されず種々の変形が可能である。また、体積型ホログラム２Ｒ、１５Ｒ等は透過型として図示してあるが、反射型のものを用いてもよい。また、照射する色配列パターンの変化としては、間欠的に変化させる方法について示したが、連続的に変化する方法を採用してもよい。ただし、その場合は、その連続的変化に合わせて光空間変調素子に表示する色分解像分割パターンも連続的に変化させる必要がある。また、画面の分割は横方向に短冊状に分割するものとしたが、これ以外の分割方式でもよい。例えば、縦方向の分割でもよく、６分割や９分割であってもよく、また、市松模様状の分割であってもよい。さらに、光空間変調素子は透過型として図示してあるが、反射型のものを用いてもよい。さらに、ホログラムを用いる例においては、ホログラム単体で照射パターンを発生するものとしたが、レンズやプリズム等の光学部品と組み合わせて所望の照射パターンを発生させるようにしてもよい。また、カラー画像表示装置も投影型のものに限らず、直接目視するカラー画像表示装置として構成してもよい。
【００４１】
【発明の効果】
以上の説明から明らかなように、本発明のカラー画像表示装置によると、光空間変調素子は、時分割して周期的に異なる画面を表示可能なものからなり、その画面各々は３つ以上の複数領域に分割され、各領域に異なる色分解像の対応する領域部分像が表示され、１周期内においてそれぞれの画面には他の画面と異なる分割パターンで異なる色分解像の部分像が並列して表示され、光空間変調素子の各画面の色分解像配列パターンに対応する色配列パターンになるように、白色光源からの光を並列に色分離し配列して照射する照明光色分離配列照射手段を備えているので、従来の吸収型カラーフィルターを設けた光空間変調素子やカラーホイールを通して光空間変調素子を照明するものと比べると、光の減衰がなく高い光利用効率で明るいカラー画像が表示可能となる。また、ホログラムカラーフィルターを設けた光空間変調素子と比べると、光空間変調素子の画素パターンに適合した微細構造のものが必要でなく、光空間変調素子とのギャップや面方向の精密な位置合わせが不要となる。
【図面の簡単な説明】
【図１】本発明のカラー画像表示装置の光空間変調素子上に表示される周期的な画面の色分解像分割パターンの１例を示す図である。
【図２】本発明による投影カラー画像表示装置の１実施例の構成を示す概念図である。
【図３】回転ホログラム板の１例の正面図である。
【図４】図２の実施例の回転ホログラム板の作用を説明するための図である。
【図５】本発明のカラー画像表示装置の別の実施例の構成を示す概念図である。
【図６】本発明のカラー画像表示装置のさらに別の実施例の構成を示す概念図である。
【図７】従来のＤＭＤを用いた投影カラー画像表示装置の構成を示す概念図である。
【符号の説明】
▲１▼、▲２▼、▲３▼、▲４▼、▲５▼、▲６▼…画面
１…光空間変調素子
２…回転ホログラム板
２Ｒ…Ｒ成分を回折する体積型ホログラム
２Ｇ…Ｇ成分を回折する体積型ホログラム
２Ｂ…Ｂ成分を回折する体積型ホログラム
３▲１▼、３▲２▼、３▲３▼、３▲４▼、３▲５▼、３▲６▼…微小ホログラム
４…回転中心軸
５…光源
６…白色光ビーム
７…光学系
８Ｒ…Ｒの回折光
８Ｇ…Ｇの回折光
８Ｂ…Ｂの回折光
１０…投影光学系
１１…スクリーン
１２…可変ダイクロイックミラー装置
１２Ｒ…Ｒ反射ダイクロイックミラー
１２Ｇ…Ｇ反射ダイクロイックミラー
１２Ｂ…Ｂ反射ダイクロイックミラー
１３…投影レンズ
１４…開口
１５…切り換え制御可能ホログラム装置
１５▲１▼、１５▲３▼、１５▲５▼…３層アクティブホログラム体
１５Ｒ…Ｒ成分を回折する体積型ホログラム
１５Ｇ…Ｇ成分を回折する体積型ホログラム
１５Ｂ…Ｂ成分を回折する体積型ホログラム
１８Ｒ…Ｒの反射光
１８Ｇ…Ｇの反射光
１８Ｂ…Ｂの反射光
２１…ＤＭＤ
２２…白色光源
２３…集光レンズ
２４…カラーホイール
２５…インテグレータロッド
２６…コリメートレンズ
２７…投影レンズ
２８…スクリーン
【図１】
0004877440.tif 000002
【図２】
0004877440.tif 000003
【図３】
0004877440.tif 000004
【図４】
0004877440.tif 000005
【図５】
0004877440.tif 000006
【図６】
0004877440.tif 000007
【図７】
0004877440.tif 000008